(57)【特許請求の範囲】
【請求項１】
使い捨てフィルタカートリッジのスタンドであって、水平下側面および水平上側面ならびにそれらの間に厚みを有するベースと、このスタンドが置かれる面に接触する下側脚部分およびこのスタンドのベースに取り付けられる上側脚部分を有し、下側脚部分は鉛直線に対して２０°から７５°の角度を有する角度付け脚部分によって上側脚部分に結合され、各脚部の上側脚部分はベースの下側面に固定される３本以上の脚部と、実質的に鉛直な下側腕部分、下側腕部分の鉛直中心線から外方に５°から３０°の角度で角度付けされた第１の角度付け腕部分、第１の角度付け腕部分に続き且つ第１の角度付け腕部分のそれに対して等しく且つ逆向きの相反角度を有する第２の角度付け腕部分、および第２の角度付け腕部分から上方に延びる実質的に鉛直な上側腕部分を有する３本以上の腕部とを備え、各腕部の下側腕部分はベースの上側面に固定される、スタンド。
【請求項２】
腕部および脚部はベースに取り外し可能に取り付けられる、請求項１に記載のスタンド。
【請求項３】
腕部および脚部はベースに恒久的に取り付けられる、請求項１に記載のスタンド。
【請求項４】
腕部の数は、脚部の数よりも１本多い、請求項１に記載のスタンド。
【請求項５】
腕部の数は、脚部の数と等しい、請求項１に記載のスタンド。
【請求項６】
脚部、ベース、および腕部は、全て、ステンレススティール、スティール、アルミニウム、真鍮、および銅からなるグループから選択された金属、ポリプロピレン、ナイロン、ＡＢＳ、およびポリカーボネートからなるグループから選択されたプラスティック、並びに、ファイバガラス、グラファイトコンポジット、およびフィルドエポキシからなるグループから選択された強化合成材料、からなるグループから選択された材料から作られる、請求項１に記載のスタンド。
【請求項７】
脚部、ベース、および腕部は、全て、ステンレススティール、スティール、アルミニウム、真鍮、および銅からなるグループから選択された金属から作られる、請求項１に記載のスタンド。
【請求項８】
脚部、ベース、および腕部は、全て、ファイバガラス、グラファイトコンポジット、およびフィルドエポキシからなるグループから選択された強化合成材料から作られる、請求項１に記載のスタンド。
【請求項９】
脚部、ベース、および腕部は、全て、ポリプロピレン、ナイロン、ＡＢＳ、およびポリカーボネートからなるグループから選択されたプラスティックから作られる、請求項１に記載のスタンド。
【請求項１０】
各脚部の上側脚部分および各腕部の下側腕部分は、取り付けコネクタを含み、且つベースの下側面および上側面は、スタンドにおいてそれぞれ使用される脚部および腕部と等しい数の、いくつかの取り付けポートを含んでいる、請求項１に記載のスタンド。
【発明の詳細な説明】
【技術分野】
【０００１】
本発明は、使い捨てフィルタのためのフロアスタンドに関する。より詳細には、移動可能で、清掃が容易で、使用中または保管の間わずかな床面積しかとらない、使い捨てフィルタのためのフロアスタンドに関する。
【背景技術】
【０００２】
在来の「スタンドアロン」カートリッジフィルタは、典型的には、バイオテクノロジまたは薬剤処理に関連して使用されるときに、薬剤処理ラインに永久的に（または半永久的に）取り付けられる、固定されたステンレススティールのハウジング内にプラグインされる。
【０００３】
薬剤／バイオテクノロジ産業の最近の傾向は、上述されたステンレススティールシステムに対立するものとして、使い捨てフィルタカプセルの使用に向かって推移している。これらの使い捨てフィルタカプセルの使用には、処理中にフィルタカプセルを保持または固定することへの挑戦が付随している。
【０００４】
これらの使い捨てカプセルベースの装置は、在来のインラインまたはＴラインステンレススティールホルダに適合しない。それらは、しばしばベンチまたはローリングカートの上に載置され、且つプラスティック管によってシステムに結合される。それらの動きを防止するために、テープまたはクランプの使用が、それらを適正位置に一時的に保持させるべく採用されてきている。他にはカプセルを適正な位置に保持させるのに壁取り付けを形成している。
【０００５】
１つの設計は、ベース、中央ポール、および中央ポールの上端においてカプセルを適正位置に保持するための１つ以上のブラケットからなる、フロアスタンドである。
【０００６】
これは、いくつかの欠点を有している。これは、カプセルを「ベルダウン」位置に保持することができる。入口および出口は上端部にあり、カプセルの残部は下方へ突出している。いくつかのカプセルは、「ベルアップ」（入口および出口は底部にあり、カプセルの残部は上方へ突出されている）位置で操作されるべく設計されており、ベルダウン位置では動作しないか、またはその位置では有効に働かないかいずれかである。
【０００７】
設計は静的であり、そして使用および保管の両方の期間中、大きな床面積をとる。結論として、装置は、清潔に保つことが困難な、多くの割れ目およびフックを有している。
【発明の開示】
【発明が解決しようとする課題】
【０００８】
必要なことは、使い捨てフィルタカプセルのための、単純で、より効果的なフロアスタンドである。
【課題を解決するための手段】
【０００９】
本発明は、使い捨てフィルタカプセルを保持するスタンドに関し、３本以上の脚部と、それに脚部を取り付けるための脚部上のベースと、そしてベースの脚部の面とは逆の面に取り付けられた３本以上の腕部から形成されている。腕部および脚部は、腕部および脚部がベースの直径から外方に広がるのを可能にする、湾曲されたまたは角度が付けられた部分を有する。好ましくは、腕部は、それから腕部の上側部分が実質的に鉛直となることを可能にする、第２の湾曲されたまたは角度が付けられた部分を有する。
【００１０】
この設計は、インラインまたは「Ｔ」ラインフィルタのいずれとも共に使用され得る。
【００１１】
この設計は、「ベルアップ」または「ベルダウン」配向にハウジングを適合させ得る。
【００１２】
Ｔライン形状を有する使い捨てフィルタカプセルのために、装置の設計は、多重のフィルタユニットが直列に結合されることを可能にするであろう（すなわち、最初のユニットの濾過／出口は、次のユニットの供給／入口に結合されるなど。後続のフィルタ結合について同様にする）。このことは、フィルタ位置に対して、適正位置に保持されている間、装置の脚部の特定の配置を通して達成される。
【００１３】
上述された装置は、好ましくは金属（ステンレススティール）から製作されるが、より低いコストで製造され且つ結局処理が完了されたときにカプセルフィルタと共に処置されるべく意図されるプラスティックモールド成形バージョンとして提供される第２の設計も存在する。
【００１４】
本出願において説明されているフロアスタンド装置は、薬剤処理の間にもたらされるいくつかの他の論点に取り組みつつ、フィルタカプセルの単純な保持の問題を解決する。装置は、使い易い。すなわち、フィルタを装置に単純に滑らせれば、使用する準備ができる。フィルタを固定するために必要な、クランプまたはネジは、存在しない。同様に、バクテリアおよび他の汚染物質が潜伏し得る隠された空間、または割れ目をほとんど提供しないから、装置は清掃が容易である。取り外し可能な腕部および脚部を有する他のバージョンにおいては、部品は、やはり、いかなる可能性のある汚染の危険をも除去すべく、分解されオートクレーブで高圧滅菌処理され得る。さらに、１つのスタンドを他のものの最上部に入れ子状に重ねることにより、１つのスタンドのために使用される以上の床面積をとらず、コンパクトに収納することを可能とする。
【００１５】
この自由なスタンドホルダ装置は、壁または受け台に永久的に取り付けられるフィルタホルダに、制約されることなく、無限の柔軟性をも提供する。この携帯性は、オートクレーブまたは清掃室に製造エリア内で容易に移動させることを可能とする。
【発明を実施するための最良の形態】
【００１６】
図１は、本発明の一実施形態に従ったフロアスタンド２を示している。
【００１７】
スタンド２は、３つの主要な構成要素、すなわち３本以上の脚部４と、ベース６と、３本以上のカプセル支持腕部８と、を有している。図示のように、３本の脚部４および４本の腕部８がある。
【００１８】
この実施形態に示されているように、各脚部４は、２つの部分、すなわち床に接触する部分１０と、ベース６に結合する部分１２と、から形成されている。２つの部分１０、１２は、他の２つの部分１０と１２との間の角度を形成する角度付け部分１４によって互いに結合されている。典型的には、脚部４のベース部分１２は、実質的に鉛直であり、且つ床側部分１０は、好ましくは、鉛直線に対して約０°から約９０°の間の角度で、外側および下側に突出している。この角度は、ベース部１２の中心線から角度付け部分１４によって画定されている。好ましくは、角度は、約２０°から約７５°の間である。１つの好ましい実施形態では、それは約５４°である。
【００１９】
代替的な実施形態（図示せず）において、脚部それ自体は真っ直ぐであるが、それがベースに取り付けられる部分であるベース側部分は、脚部は、ベースから均等に広がって傾斜するような角度に形成されている。この例においては、角度付け部分は０°の角度を有し、そしてそれがベースに取り付けられる部分は、典型的には約５°から７５°の間である。
【００２０】
好ましくは、各脚部は、これに限定されるわけではないが、ステンレススティール、スティール、アルミニウム、真鍮または銅を含む金属、または、これに限定されるわけではないが、ポリプロピレン、ナイロン、ＡＢＳまたはポリカーボネートを含むプラスティック、あるいは、ファイバガラス、フィルドエポキシ、グラファイトコンポジット等のような強化合成材料のような、単一ピースの材料から作られる。この実施形態においては、金属、特に、薬剤産業において使用される通常の材料であるため、ステンレススティールが好ましい。
【００２１】
脚部４は、中空（管状）であってもまたは中実であっても良い。中空の場合、脚部４は、各端部がシールされている必要がある。脚部４は、好ましくは、スタンド２に最適な安定性を与えるために、互いに等しい距離で間隔をあけて配置される。例えば、３つの脚部４を有する図１の実施形態において、脚部は、ベース６上の仮想円のまわりに互いに１２０°の間隔をあけて配置されることが好ましい。４つの脚部は、互いに９０°などである。
【００２２】
ベース６は、脚部４と腕部８との間に形成され、且つ各々をベース６に保持させる。図１に示されるように、ベース６は、リングである。それも、中実の円形であっても、または正方形、五角形、六角形等のようないくつかのタイプの多角形であっても良く、それらの多角形の形状において、中実であってもまたは中空中心を含んでいても良い。中空中心部分を有するベース６は、重量を低減することができ、且つベルダウン位置にあるときに、いくつかのケースにおいて「インライン」カプセルおよび「Ｔライン」カプセルの一部に適合するであろうので、好ましい。
【００２３】
ベース６は、好ましくは脚部４と同一の材料から作られる。
【００２４】
脚部４が取り付けられるのとは逆の、ベース面１６に腕部８が取り付けられる。図１に示されるように、４本の腕部８がある。腕部８は、好ましくは、互いに均等の距離だけ離れている。特に偶数の腕部８を使用するときに、他の構成が用いられても良い。例えば、４本の腕部８を有していてさえも、２対の腕部８を互いに対向させて、各対の２本の部材が対向する対よりも互いに近くなるように配置することができる。無数の組み合わせが可能であるが、普遍的な使用のためには、各スタンド２が、同一の形状の腕部および脚部を有することが好ましく、そしてより好ましくは、使用および保管の容易さを見込んで、それら全てが互いに等距離であることとする。
【００２５】
腕部は好ましくは、脚部４およびベース６と同一の材料から作られる。
【００２６】
各腕部８は、ベース６に取り付けられ、且つそれらが同一の目的を達成する限り他の角度が使用されても良いが、好ましくは、ベースから上方向きに実質的に鉛直に延びる、下側部分２０を有する。第１の角度付け部分２２は、下側部分２０の中心線から外方への角度を形成している。この角度は、鉛直線から、約５°から約９０°であっても良い。直線部分２４が後に続き、この直線部分２４は次に、好ましくは、第１の角度付け部分２２のそれとは等しい角度で且つ逆向きである、第２の角度付け部分２６に結合している。最上部分２８は、好ましくは、第２の角度付け部分２６から実質的に鉛直方向上方に延びる。
【００２７】
他の実施形態（図示せず）においては、第２の角度は、腕部の最上部分がカプセルに軽く触れ、且つそれを適正位置に保持するようにして内方に延びるように、第１の角度よりも大きくても良い。
【００２８】
図１から図３における腕部と同一の機能を達成する、腕部の他の実施形態も、狭い底部部分および、より開いたまたはより閉じられた最上部分を有する腕部の、このバスケット効果を作成するのに使用されても良く、それらは本発明の範囲内に含められることが意図されている。
【００２９】
３本以上の腕部８は、フィルタカプセルを適正位置に保持するためのバスケットタイプの構成を形成している。図２は、スタンド２内に配置されたフィルタカプセル３０を示している。カプセル３０は、腕部８によって鉛直位置（この図においてはベルアップ位置にある）に保持される。また、図２に示されるように、カプセル３０の入口３２および出口３４も容易にアクセスし得る。
【００３０】
一実施形態における腕部および脚部の数は、他のものと異なっている。例えば、図１の設計においては、３本の脚部と４本の腕部がある。このことは、カプセルおよびその関連するホースおよび他のアイテムが容易にスタンド内に適合されることを可能にするように、腕部と脚部との間の適切な間隔を可能にしている。加えて、脚部は、最小の床面積でｔｒｉ−ｃｌｏｖｅｒクランプおよびＬａｄｉｓｈクランプ等の使用を通して、もしも所望されるならば、カプセルが互いに直接的に結び付けられ得るように、干渉と共に互いに近接して配置され得る。また、図１の実施形態に見られるように、腕部８は、互いに等間隔をあけ（４本の腕部は互いに９０°間隔があけられる）、且つ脚部４と一直線上にならないように脚部からオフセットされている。それは、このような方法で、これらのスタンドについての最大積み重ね可能性を考慮すべく設計される。
【００３１】
他の実施形態において、腕部および脚部は、数においては等しいが、互いに直接的に一直線上に並ばないように、互いにオフセットされている。さらなる実施形態においては、それらは数において等しくそして互いに一列に並んでいる。付加的な実施形態において、腕部の数は、常に脚部の数よりも１本多い。
【００３２】
その他の実施形態において、脚部および腕部は、全て１ピースの材料から作られ、且つベースは、一連の孔を有し、その孔を通して脚部／腕部ピースが挿入され且つ（例えば金属ならば、溶接、接着剤、クランプ等、プラスティックまたは強化合成材料ならば、接着剤、熱溶着、超音波溶接、クランプ等、によって）固定される。
【００３３】
フロアスタンドの付加的な要求は、それらが使用されないときに、多数のユニットが、大きな「設置面積」をとらないことである。薬剤処理施設における床面積は、概して高需要にある。これは、限られた面積しかなく且つそれが高価であることを意味する。フロアスタンドのこの設計は、使用中でないときに、上下にユニットを積み重ね、それによって、生産床の必要とされる保管面積を最小化することを提供する。図３ａは、保管状態の一連の４個のスタンド２を示している。これらの設計は、１つのそのようなスタンド２のそれに等しい床面積のみをとるように、それらが互いに上に積み重ねられ得るようにしている。ベース６には、各腕部８に１つずつの、少なくとも４つの切欠部があり、それらは、保管のための多数のユニットの積み重ねの間に位置合わせを提供する。スタンドの多重積み重ねのために設計されたユニットにおいては、８個の切欠部が好ましい。これは、図３ｂに示されている。切欠部７は、積み重ねにおけるその下のスタンドの腕部８が、切欠部７を通って上へ延び、歪曲されないように、ベース６の周囲に間隔をあけて配置されている。加えて、切欠部７は、積み重ねられた構成に付加的な安定性を与える。同様に、図３ｂにおいては、腕部８および脚部４の最初の好ましい構成、およびそれらの相互の間隔を見ることができる。
【００３４】
Ｔライン構成を有する使い捨て可能フィルタカプセルのために、装置の設計は、多数のフィルタユニットが直列的に結合されるのを可能とするであろう（すなわち、最初のユニットの濾過／出口は、次のユニットの供給／入口に結合されるなど。後続のフィルタ結合についても同様にする）。このことは、カプセルの取り付けが干渉せずに互いに近接して配置されるように適正位置に保持されている間、フィルタ位置に対する装置の脚部の特定の配置を通して達成される。
【００３５】
腕部８および脚部４は、種々の手段によってベース６に取り付けられ得る。それは、構成の材料として金属を使用しているときには、腕部８および脚部４をそれぞれベース６に溶接することが、好ましい方法である。このことは、それによってバクテリアまたは他の汚染物質が後続の清掃までアクセスすることができないようにして、いかなる割れ目も除去し、強固で且つ密封状態にシールされた結合を提供する。
【００３６】
合成材料の構成を使用するときの他の好ましい方法は、スタンドを単一ピースとしてモールド成形することである。
【００３７】
さらなる好ましい方法は、ベース６とそれぞれの腕部８および／または脚部４の間に形成されるネジ結合を介して、脚部４および腕部８をベースに取り付けることである。このことは、ベース６に雌ネジ結合を形成し、且つ腕部８および脚部４に、ベース６のそれぞれの雌ネジ結合に係合させる雄ネジ結合を形成することを含んでいてもよい。
【００３８】
他の方法は、脚部４および腕部８の端部に、ベース６に取り付ける雄ネジ部分を形成することである。
【００３９】
他の取り付けの方法は、接着剤、超音波溶接、熱溶着等を含む。
【００４０】
薬剤処理設備は、連続する処理工程の間に充分に清掃されまたは滅菌されるべく、その能力について、そのユーザおよび彼らの管理者によって常に精査されている。理想的には、液体、バクテリア、または他の異物が侵入できるが、容易に除去されないような、小さな孔、裂け目または割れ目はあってはならない。この単純化されすぎ且つ清潔な設計によって、フィルタスタンド／ホルダは、物質が捕捉されるような開いたエリアを持っていない。脚部にそれらの完全さおよび強度を与えるが、物質が捕捉されるための窪みまたは凹部エリアを提供しない全厚隅肉溶接がある。顕微鏡レベルにおいては、装置全体の表面粗さは、適切な清掃を可能にするレベルまで研磨され得る。これに反して、高い表面粗さを有する不完全に機械加工された面は、「清掃が困難な」エリアを提供する。
【００４１】
図４は、本発明の第２の実施形態を示している。この実施形態は、保管および清掃のために分解されるべく特別に設計されている。スタンド１０２は、第１の実施形態と同様の３つの要素、すなわち３本以上の脚部１０４、ベース１０６、および３本以上の腕部１０８、を含んでいる。腕部１０８、脚部１０４、およびベース１０６の形状は、図１から図３に関連して上述されたものと同様である。
【００４２】
例えば、各脚部１０４は、２つの部分、すなわち床に接触する部分１１０と、ベース１０６に係合する部分１１２と、から形成されている。２つの部分１１０、１１２は、他の２つの部分１１０と１１２との間の角度を形成するエルボー部分１１４によって互いに係合されている。典型的には、脚部１０４のベース部分１１２は、実質的に鉛直であり、且つ床側部分１１０は、鉛直線に対して約０°から約９０°の間の角度で、外側および下側に突出している。この角度は、エルボー部分１１４によって画定されている。好ましくは、角度は、約３０°から約６０°の間である。１つの好ましい実施形態では、角度は５４°である。
【００４３】
好ましくは、各脚部は、これに限定されるわけではないが、ステンレススティール、スティール、アルミニウム、真鍮または銅を含む金属、または、これに限定されるわけではないが、ポリプロピレン、ナイロン、ＡＢＳ、ポリカーボネートのようなプラスティック、あるいは、ファイバガラス、フィルドエポキシ、グラファイトコンポジット等のような強化合成材料のような、単一ピースの材料から作られる。この実施形態においては、プラスティック、特に、薬剤産業において使用される通常の材料であるため、ポリカーボネートが好ましい。
【００４４】
同様に、ベース１０６は、脚部１０４と腕部１０８との間に形成され、且つ各々をベース１０６に保持させる。図４に示されるように、ベース１０６は、リングである。それも、中実の円形であっても、または正方形、五角形、六角形等のようないくつかのタイプの多角形であっても良く、それらの多角形の形状において、中実であってもまたは中空中心を含んでいても良い。中空中心部分を有するベース１０６は、重量を低減することができ、且つベルダウン位置にあるときに、いくつかのケースにおいて「インライン」カプセルおよび「Ｔライン」カプセルの一部に適合するであろうので、好ましい。ベース１０６は、好ましくは脚部１０４と同一の材料から作られる。
【００４５】
図４に示されるように、他の実施形態においては３本以上であっても良いが、４本の腕部１０８がある。腕部１０８は、好ましくは、互いに均等の距離だけ離れている。特に偶数の腕部１０８を使用するときに、他の構成が用いられても良い。例えば、４本の腕部１０８を有していてさえも、２対の腕部１０８を互いに対向させて、各対の２本の部材が互いに対向する対よりも互いに近くなるように、配置することができる。無数の組み合わせが可能であるが、普遍的な使用のためには、各スタンド１０２が、同一の形状の腕部および脚部を有することが好ましく、そしてより好ましくは、それら全てが互いに等距離であることとする。
【００４６】
腕部は好ましくは、脚部１０４およびベース１０６と同一の材料から作られる。
【００４７】
各腕部１０８は、ベース１０６に取り付けられ、且つベースから上方向きに実質的に鉛直に延びる、下側部分１２０を有する。第１の角度付け部分１２２は、下側部分１２０の中心線から外方への角度を形成している。この角度は、鉛直線から、約５°から約３０°であっても良い。直線部分１２４が後に続き、この直線部分１２４は次に、好ましくは、第１の角度付け部分１２２のそれとは等しい角度で且つ逆向きである第２の角度付け部分１２６に結合している。最上部分１２８は、好ましくは、第２の角度付け部分１２６から実質的に鉛直方向上方に延びる。
【００４８】
図４における腕部と同一の機能を達成する腕部の他の実施形態は、図１から図３に関連して上述されたものを含み、且つ狭い底部分および、より開いたまたは閉じられた最上部分を有する、腕部のこのバスケット効果を作成するのに使用されても良く、そしてそれらは本発明の範囲内に含められることが意図されている。
【００４９】
３本以上の腕部１０８は、フィルタカプセルを適正位置に保持するためのバスケットタイプの構成を形成している。図６は、腕部１０８によってスタンド１０２内に配置されたフィルタカプセル１３０を示している。カプセル１３０は、腕部１０８によって鉛直位置（この図においてはベルアップ位置にある）に保持される。また、図６に示されるように、カプセル１３０の入口１３２および出口１３４も容易にアクセスし得る。
【００５０】
一実施形態における腕部および脚部の数は、他のものと異なっている。例えば、図４の設計においては、３本の脚部と４本の腕部がある。このことは、カプセルおよびその関連するホースおよび他のアイテムが容易にスタンド内に適合されることを可能にするように、腕部と脚部との間の適切な間隔を考慮している。他の実施形態において、腕部および脚部は、数においては等しいが、互いに直接的に一直線上に並ばないように、互いにオフセットされている。さらなる実施形態においては、それらは数において等しくそして互いに一列に並んでいる。付加的な実施形態において、腕部の数は、存在する脚部の数よりもいつも１本多い。
【００５１】
図１から図３の実施形態とは異なり、図４から図６の実施形態は、ベース１０６に取り外し可能に取り付けられる、その脚部１０４および腕部１０８を有している。図４に見られるように、これは、ベース１０６の上面１５０および底面１５２のまわりの所望される位置に形成される、一連のコネクタポート１４０の使用を通して達成される。図示された通りの位置は、ベース１０６の上面に互いに等距離に、ならびにベース１０６の底面に互いに等距離に設定されている。この実施形態においては、この実施形態のために選択された脚部および腕部の数と、等しい数である３つの脚部コネクタポートおよび４つの腕部ポート１４０が存在する。図１に関連して上述において述べられたように、もしも所望するならば、他の配置構成および形態が使用されても良い。
【００５２】
各脚部１０４および腕部１０８は、ベース１０６に係合する脚部または腕部の端部に配設された、コネクタプラグ１５４を有している。図示されたように脚部は、中空または中実の管であっても良いが、ガセットを有するＩ−ビーム型である。プラグ１５４は、それぞれのポート１４０内にパチンと嵌め込まれ、且つ適正位置にしっかりと保持される。代替として、ネジの使用および他の取り付け手段が、それらを適正位置に保持するのに使用されても良い。
【００５３】
好ましくは、各腕部プラグ１５４は、任意の腕部ポート１４０だけに、適正な位置において腕部を配置する様式で適合するであろう。同様に、好ましくは、各脚部プラグ１５４は、任意の脚部ポート１５２だけに、同様の様式で適合するであろう。「キー」機構によって、どの腕部プラグ１５４もどの脚部ポート１５２にも適合せず、そしてどの脚部プラグ１５４もどの腕部ポート１４０にも適合しないであろう。このことは、正当な構成要素が正確な位置に組み立てられることを保証している。代替的な実施形態は、どの腕部または脚部ポート１４０が、どの腕部または脚部プラグ１５４を受け入れることをも可能にし、スタンドを組み立てる人の技術に依存してそれを正確に組み立てる。
【図面の簡単な説明】
【００５４】
【図１】本発明の第１の実施形態を斜視図にて示している。
【図２】適正位置にカプセルを伴う図１の実施形態を斜視図にて示している。
【図３ａ】保管場所における図１の実施形態を斜視図にて示している。
【図３ｂ】図１の実施形態を上方からの上面図にて示している。
【図４】本発明の第２の実施形態を分解組み立て図にて示している。
【図５】図４の実施形態を斜視図にて示している。
【図６】適正位置にカプセルを伴う図４の実施形態を斜視図にて示している。
【図１】
0004526954.tif 000002
【図２】
0004526954.tif 000003
【図３ａ】
0004526954.tif 000004
【図３ｂ】
0004526954.tif 000005
【図４】
0004526954.tif 000006
【図５】
0004526954.tif 000007
【図６】
0004526954.tif 000008